(57)【要約】【課題】ユーザの意図しないドアのロック／アンロックの実行を抑制することのできる電子キーシステムを提供する。【解決手段】この車両の電子キーシステムは、応答信号を送信する携帯機２０と、携帯機２０に応答信号を要求するリクエスト信号を周期的に送信するとともに、応答信号を受信する車両側装置との間で、リクエスト信号及び応答信号の送受信を通じて車両ドアのロック／アンロックを実行する。ここでは、携帯機２０が応答信号を送信した後に一定の電波強度となるようなパルスを車両側装置１０に送信するとともに、車両側装置１０が携帯機２０から送信される応答信号及びパルスの電波強度をそれぞれ検出する。そして、検出された応答信号及びパルスの電波強度の変化と、リクエスト信号及び応答信号の送受信を通じた、携帯機２０が通信可能エリアＳ内に位置しているか否かの判定とに基づいて車両ドアのロック／アンロックを実行する。【選択図】図１
2009264056.tif 000002
【特許請求の範囲】
【請求項１】
所定の無線信号を送信する携帯機と、同携帯機に前記無線信号の送信を要求するリクエスト信号を周期的に送信するとともに前記携帯機から送信される無線信号を受信する通信装置との間で、前記無線信号及び前記リクエスト信号の送受信を通じてドアのロック／アンロックを実行する電子キーシステムであって、
前記携帯機は、前記無線信号を送信した後に一定の電波強度となるような無線電波を前記通信装置に送信するとともに、前記通信装置は、前記携帯機から送信される無線電波を受信してその電波強度を検出し、前記通信装置を通じて検出される無線電波の電波強度の変化と、前記無線信号及び前記リクエスト信号の送受信を通じた、前記携帯機が前記通信装置との通信可能エリア内に位置しているか否かの判定とに基づいて前記ドアのロック／アンロックを実行する
ことを特徴とする電子キーシステム。
【請求項２】
前記一定の電波強度となるような無線電波が、前記携帯機から所定の周期にて送信される複数のパルスからなる
請求項１に記載の電子キーシステム。
【請求項３】
当該電子キーシステムが、前記携帯機が前記通信可能エリア内に位置している旨が判定されるときに車両ドアのアンロックを実行するとともに、前記携帯機が前記通信可能エリア内に位置していない状態が継続している旨が判定されるときに前記車両ドアのロックを実行する車両の電子キーシステムであり、前記通信装置が、車両の運転席のドアの部分に設けられて同運転席のドアの周辺に設定された通信可能エリアに前記リクエスト信号を送信する送信装置と、前記運転席及び車両の助手席の間に位置して前記携帯機から送信される無線信号及び無線電波をそれぞれ受信する受信装置とからなり、前記携帯機が前記通信可能エリア内に位置していない旨が判定されて前記車両ドアのロックを実行している期間に前記携帯機が前記通信可能エリア内に位置している旨が判定された後、前記受信装置を通じて受信された前記無線信号の電波強度に対して前記受信装置を通じて検出される前記無線電波の電波強度が低下している傾向にある旨が判定されるとき、前記車両ドアをロックしたままの状態に維持する
請求項１又は２に記載の電子キーシステム。
【請求項４】
当該電子キーシステムが、前記携帯機が前記通信可能エリア内に位置している旨が判定されるときに車両ドアのアンロックを実行するとともに、前記携帯機が前記通信可能エリア内に位置していない状態が継続している旨が判定されるときに前記車両ドアのロックを実行する車両の電子キーシステムであり、前記通信装置が、車両の運転席のドアの部分に設けられて同運転席のドアの周辺に設定された通信可能エリアに前記リクエスト信号を送信する送信装置と、前記運転席及び車両の助手席の間に位置して前記携帯機から送信される無線信号及び無線電波をそれぞれ受信する受信装置とからなり、前記携帯機が前記通信可能エリア内に位置している旨が判定されて車両ドアのアンロックを実行している期間に前記受信装置を通じて受信された前記無線信号の電波強度に対して前記受信装置を通じて検出される前記無線電波の電波強度が低下している傾向にある旨が判定された後、前記携帯機が前記通信可能エリア内に位置していない旨が判定されたとき、前記車両ドアのロックを実行する
請求項１〜３のいずれか一項に記載の電子キーシステム。
【発明の詳細な説明】
【技術分野】
【０００１】
本発明は、例えば車両や住宅と電子キーとの間の無線通信を通じて車両ドアや住宅の玄関ドアのロック／アンロックを実行する電子キーシステムに関する。
【背景技術】
【０００２】
こうした電子キーシステムの一つとして、携帯機（電子キー）を所持したユーザが車両ドアに接近することにより車両ドアのアンロックを自動的に実行するとともに、ユーザが車両ドアから離間することにより車両ドアのロックを自動的に実行する、いわゆる車両に搭載される電子キーシステムが周知である。そして従来、このような車両の電子キーシステムとしては、例えば特許文献１に記載のシステムが知られている。図８に、この特許文献１に記載のシステムも含めて、従来一般に採用されている車両の電子キーシステムの概要を示す。
【０００３】
同図８に示されるように、この車両の電子キーシステムでは、例えば運転席のドア１１及び助手席のドア１２にそれぞれ設けられた車両側送信装置１３から各ドア１１，１２の周辺に設定された通信可能エリアＳにリクエスト信号を送信する。またこの電子キーシステムでは、車両側送信装置１３から送信されるリクエスト信号を受信するとともに、受信したリクエスト信号に対して識別コード（ＩＤコード）等の情報を含む応答信号を送信する携帯機２０をユーザが所持する。すなわち、携帯機２０を所持したユーザが通信可能エリアＳに進入することによって、携帯機２０から応答信号が送信される。そしてこのシステムにおいて、携帯機２０から送信される応答信号は車室内に設けられた車両側受信装置１４により受信されるとともに、車両にかかる各種制御を実行する車両側制御装置１５に伝達される。車両側制御装置１５では、この受信される応答信号に含まれるＩＤコードと同制御装置１５内のメモリに予め記憶されているＩＤコードとの照合を行う。そして、車両側制御装置１５では、この照合を通じて互いのＩＤコードが一致している旨が判断されるときには、運転席のドア１１及び助手席のドア１２を含む車両の各ドアに設けられたドアロック機構１６を通じて車両ドアのアンロックを実行する。一方、車両側制御装置１５では、携帯機２０と異なる携帯機が通信可能エリアＳに進入するなどにより、上記ＩＤコードの照合を通じて互いのＩＤコードが一致しない旨が判断されるときには、携帯機２０が通信可能エリアＳ内に位置していない旨を判定して車両ドアのロックを維持する。また、例えばユーザが通信可能エリアＳ外へ移動している状況であって車両側受信装置１４により携帯機２０から送信される応答信号を受信することができないなどにより、携帯機２０が通信可能エリアＳ内に位置していない旨が判断されるときにも、車両ドアのロックを維持する。このような電子キーシステムによれば、携帯機２０を所持したユーザが通信可能エリアＳに進入することで車両ドアのアンロックが自動的に実行されるとともに、ユーザが通信可能エリアＳ外へ移動することで車両ドアのロックが自動的に実行されるようになる。すなわち、ユーザの直接的な手動操作によることなく車両ドアのロック／アンロックが自動的に行われるようになるため、車両の操作にかかる利便性が大きく向上するようになる。
【特許文献１】特開２００２−２４７６５６号公報
【発明の開示】
【発明が解決しようとする課題】
【０００４】
ところで、この電子キーシステムでは、携帯機２０に設けられている送受信機と車両側送信装置１３あるいは車両側受信装置１４との間で上記リクエスト信号や応答信号といった各種信号が無線通信を通じて授受される。このため、車両や携帯機２０周辺にノイズが存在するような環境下では、例えば車両側受信装置１４を通じて応答信号とともにノイズも受信されるようになるため、応答信号に含まれている情報を車両側制御装置１５で適切に認識できなくなるおそれがある。したがって、携帯機２０を所持したユーザが通信可能エリアＳに進入して車両ドアのアンロックが実行されているときであっても、例えば強いノイズを生じるものが車両近傍を通り過ぎたとすると、車両側制御装置１５は、携帯機２０が通信可能エリアＳ内に位置していない旨を誤判定するおそれがある。すなわちこの場合、アンロックされている車両ドアをロックする制御が実行される。そしてその後、強いノイズを生じるものが車両から遠ざかると、再び車両側制御装置１５で応答信号に含まれている情報を適切に認識することができるようになり、車両ドアのアンロックが実行される。すなわち、この電子キーシステムでは、ユーザが通信可能エリアＳに進入しているときに、ノイズの影響等により車両ドアのロック／アンロックの実行を繰り返すといった不自然な動作を行うおそれがある。そこで、こうしたノイズの影響を回避するために、車両のドアのアンロックを実行しているときに携帯機２０との間の無線通信が途切れた回数、換言すれば上記携帯機２０が通信可能エリアＳ内に位置していない旨が判定される回数をカウントし、カウントされた回数が所定回数以上となったときに車両ドアのロックを実行するようにすることが考えられる。すなわち、携帯機２０が通信可能エリアＳ内に位置していない状態が継続している旨が判断されるときに車両ドアのロックを実行するようにすることが考えられる。これにより、強いノイズを生じるものが車両の近くを通り過ぎる際に一時的に車両側制御装置１５で応答信号に含まれている情報を適切に認識できなくなったとしても、車両ドアのロックが即座に実行されることを回避することができるようになる。このため、車両ドアのロック／アンロックの実行を繰り返すといった電子キーシステムとしての不自然な動作を抑制することができるようになる。
【０００５】
ただし、こうした電子キーシステムでは、ユーザが車両から離れようとしている場合には、携帯機２０が通信可能エリアＳ内に位置している状態から通信可能エリアＳ外へ移動した後、車両側制御装置１５を通じて携帯機２０が上記通信可能エリアＳ内に位置していない旨の判定が所定回数なされた時点で車両ドアのロックが実行されるようになる。ところで、ユーザは通常、車両ドアのロックを実行する際に生じるドアロック機構１６の作動音の有無を通じて車両ドアのロックが完了したか否かを無意識的に認識している。このため、例えばユーザが運転席のドア１１から速い速度で離れるといった行動をとったとすると、運転席のドア１１から大きく離れた時点でようやくドアロック機構１６の作動音が聞こえて車両ドアのロックが完了したことを認識することとなるため、こうした車両ドアのロックされる時期の遅れにユーザが違和感を覚えるおそれがある。
【０００６】
また、この電子キーシステムでは、携帯機２０が通信可能エリアＳに進入した時点で車両ドアがアンロックされる。したがって、例えばユーザが単に運転席のドア１１の近くを通り過ぎようとして通信可能エリアＳを横切るといった動作をした際にも車両ドアのアンロックが実行されるため、その意思に反して車両ドアがアンロックされることに違和感を覚えるおそれもある。
【０００７】
なお、このような課題は、上記車両の電子キーシステムに限らず、例えばユーザが携帯機（電子キー）を所持した状態で玄関ドアに接近したときに玄関ドアのアンロックを自動的に実行するとともに、玄関ドアから離れたときに玄関ドアのロックを自動的に実行する、いわゆる住宅の電子キーシステムにおいても共通する課題である。
【０００８】
本発明は、こうした実情に鑑みてなされたものであり、その目的は、ユーザの意図しないドアのロック／アンロックの実行を抑制することのできる電子キーシステムを提供することにある。
【課題を解決するための手段】
【０００９】
上記課題を解決するために、請求項１に記載の発明は、所定の無線信号を送信する携帯機と、同携帯機に前記無線信号の送信を要求するリクエスト信号を周期的に送信するとともに前記携帯機から送信される無線信号を受信する通信装置との間で、前記無線信号及び前記リクエスト信号の送受信を通じてドアのロック／アンロックを実行する電子キーシステムであって、前記携帯機は、前記無線信号を送信した後に一定の電波強度となるような無線電波を前記通信装置に送信するとともに、前記通信装置は、前記携帯機から送信される無線電波を受信してその電波強度を検出し、前記通信装置を通じて検出される無線電波の電波強度の変化と、前記無線信号及び前記リクエスト信号の送受信を通じた、前記携帯機が前記通信装置との通信可能エリア内に位置しているか否かの判定とに基づいて前記ドアのロック／アンロックを実行することを要旨としている。
【００１０】
同構成によるように、携帯機が無線信号を送信した後に一定の電波強度となるような無線電波を通信装置に送信するとともに、通信装置がこの携帯機から送信される無線電波を受信してその電波強度を検出するようにすれば、携帯機と通信装置との間の距離の変化に伴い、通信装置により検出される無線電波の電波強度が変化するため、無線電波の電波強度の変化から携帯機の動きを推定することが可能となる。すなわち、携帯機を所持するユーザの動きを追跡することが可能となる。このため、通信装置を通じて検出される無線電波の電波強度の変化、及び携帯機が通信可能エリア内に位置しているか否かの判定に基づいてドアのロック／アンロックを実行するようにすれば、従来のようにユーザのドアへ接近、及びドアからの離間といった情報のみに基づいてドアのロック／アンロックを実行するだけではなく、ユーザの動作に併せてドアのロック／アンロックを実行することができるようになるため、ユーザの意図しないドアのロック／アンロックを抑制することができるようになる。
【００１１】
請求項２に記載の発明は、請求項１に記載の電子キーシステムにおいて、前記一定の電波強度となるような無線電波が、前記携帯機から所定の周期にて送信される複数のパルスからなることを要旨としている。
【００１２】
同構成によるように、一定の電波強度となるような無線電波を、携帯機から所定の周期にて送信される複数のパルスとして構成するようにすれば、無線電波の送信に伴う携帯機の電力の消費を抑えることができるため、携帯機の電池の寿命を維持することができるようになる。
【００１３】
請求項３に記載の発明は、請求項１又は２に記載の電子キーシステムにおいて、当該電子キーシステムが、前記携帯機が前記通信可能エリア内に位置している旨が判定されるときに車両ドアのアンロックを実行するとともに、前記携帯機が前記通信可能エリア内に位置していない状態が継続している旨が判定されるときに前記車両ドアのロックを実行する車両の電子キーシステムであり、前記通信装置が、車両の運転席のドアの部分に設けられて同運転席のドアの周辺に設定された通信可能エリアに前記リクエスト信号を送信する送信装置と、前記運転席及び車両の助手席の間に位置して前記携帯機から送信される無線信号及び無線電波をそれぞれ受信する受信装置とからなり、前記携帯機が前記通信可能エリア内に位置していない旨が判定されて前記車両ドアのロックを実行している期間に前記携帯機が前記通信可能エリア内に位置している旨が判定された後、前記受信装置を通じて受信された無線信号の電波強度に対して前記受信装置を通じて検出される前記無線電波の電波強度が低下している傾向にある旨が判定されるとき、前記車両ドアをロックしたままの状態に維持することを要旨としている。
【００１４】
前述のように、ユーザが携帯機（電子キー）を所持した状態で運転席のドアに接近したときに車両ドアのアンロックを自動的に実行するとともに、運転席のドアから離れたときに車両ドアのロックを自動的に実行する、いわゆる車両の電子キーシステムが周知である。そして、こうした車両の電子キーシステムにあっては、例えば、運転席のドアの周辺に設定された通信可能エリアにリクエスト信号を送信する送信装置を車両の運転席のドアの部分に設けるとともに、携帯機から送信される各種信号を受信する受信装置を運転席と助手席との間に配置し、これら送信装置と受信装置とにより車両の通信装置が構成されているものがある。そして、このような構成からなる電子キーシステムにあっては、例えば携帯機を所持したユーザが上記通信可能エリアを横切る動作を行ったとすると、携帯機は通信可能エリアに進入して上記受信装置に一旦接近した後、同受信装置から離間して通信可能エリア外へ移動する。したがって、同構成によれば、携帯機が通信可能エリア内に位置しておらず車両ドアのロックが実行されている期間にユーザが通信可能エリアを横切る動作を行ったとすると、まずは携帯機が通信エリアに進入した時点で、無線信号及びリクエスト信号の送受信を通じて携帯機が通信可能エリア内に位置している旨が判定される。そしてその後、ユーザが通信エリア外に向けて移動したとすると、携帯機が受信装置から離間することから、携帯機が通信可能エリア内に位置した際に受信装置を通じて受信された無線信号の電波強度に対して受信装置を通じて検出される無線電波の電波強度が低下している傾向にある旨が判定される。したがって、車両ドアをロックしたままの状態が維持される。このため、通信可能エリアに進入したユーザに車両ドアを開ける意思はなく、ユーザが通信可能エリアを横切ろうとしているときには車両ドアがロックされたままの状態に維持されるため、ユーザの意図しない車両ドアのアンロックの実行を抑制することができるようになる。
【００１５】
請求項４に記載の発明は、請求項１〜３のいずれか一項に記載の電子キーシステムにおいて、当該電子キーシステムが、前記携帯機が前記通信可能エリア内に位置している旨が判定されるときに車両ドアのアンロックを実行するとともに、前記携帯機が前記通信可能エリア内に位置していない状態が継続している旨が判定されるときに前記車両ドアのロックを実行する車両の電子キーシステムであり、前記通信装置が、車両の運転席のドアの部分に設けられて同運転席のドアの周辺に設定された通信可能エリアに前記リクエスト信号を送信する送信装置と、前記運転席及び車両の助手席の間に位置して前記携帯機から送信される無線信号及び無線電波をそれぞれ受信する受信装置とからなり、前記携帯機が前記通信可能エリア内に位置している旨が判定されて車両ドアのアンロックを実行している期間に前記受信装置を通じて受信された無線信号の電波強度に対して前記受信装置を通じて検出される前記無線電波の電波強度が低下している傾向にある旨が判定された後、前記携帯機が前記通信可能エリア内に位置していない旨が判定されたとき、前記車両ドアのロックを実行することを要旨としている。
【００１６】
上述の車両の電子キーシステムにあっては、例えばユーザが車両ドアから速い速度で離間する動作を行ったとすると、携帯機は、通信可能エリア内に位置して受信装置に接近している状態を初期状態として、受信装置から速い速度で離間して通信可能エリア外へ移動する。したがって、同構成によれば、携帯機が通信可能エリア内に位置して車両ドアのアンロックが実行されている期間にユーザが車両ドアから速い速度で離間する動作を行ったとすると、まずは、携帯機が通信可能エリア内に位置している旨が判定される。そしてその後、携帯機の受信装置からの離間に伴い、受信装置を通じて受信された無線信号の電波強度に対して受信装置を通じて検出される無線電波の電波強度が低下している傾向にある旨が判定される。さらにその後、携帯機が通信可能エリア外へ移動すると、携帯機が通信可能エリア内に位置していない旨が判定され、この時点で車両ドアのロックが実行される。このため、携帯機が通信可能エリア内に位置していない状態が継続している旨が判定された時点で車両ドアのロックを実行する場合と比較すると、その応答性が向上し、車両ドアのロックされる時期を早めることができるようになる。したがって、車両ドアのロックされる時期の遅れによりユーザが違和感を覚えるといった懸念を払拭することができるようになる。
【発明の効果】
【００１７】
本発明にかかるドアの施解錠装置によれば、ユーザの意図しないドアのロック／アンロックの実行を抑制することができるようになる。
【発明を実施するための最良の形態】
【００１８】
以下、本発明にかかる電子キーシステムを車両の電子キーシステムに適用した一実施形態について図１〜図７を参照して説明する。なお、この実施形態が適用対象とする車両の電子キーシステムの基本構成は、先の図８に例示した電子キーシステムと同様である。図１は、こうした電子キーシステムの構成をブロック図として示したものであり、はじめに、同図１を参照して、この電子キーシステムの構成、動作をより具体的に説明する。なお、この図１において、先の図８に示した要素と同一の要素にはそれぞれ同一の符号を付している。
【００１９】
同図１に示されるように、この車両の電子キーシステムでは、車両側に搭載された車両側装置１０とユーザが携帯して所持する携帯機２０との間で、無線通信による各種通信制御が実行される。すなわち、車両側装置１０では、携帯機２０に対して前述したリクエスト信号を周期Ｔ１で送信するための車両側送信装置１３が運転席のドア１１及び助手席のドア１２にそれぞれ設けられるとともに、携帯機２０から送信される同じく前述した応答信号を受信するための車両側受信装置１４が運転席と助手席との間に位置して設けられている。ここで、この車両側受信装置１４には、受信した無線信号の電波強度を検出するためのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１４ａが設けられている。そして、車両側送信装置１３によるリクエスト信号の送信制御、車両側受信装置１４を通じて受信される応答信号の処理、及びＲＳＳＩ回路１４ａを通じて検出される無線信号の電波強度の情報処理が、車両側装置１０に設けられている車両側制御装置１５を通じて統括的に行われる。ちなみにこの車両側制御装置１５は、例えば前述したドアロック機構１６を制御する部分でもある。一方、携帯機２０には、車両側装置１０から送信されるリクエスト信号を受信するための携帯機側受信装置２１とともに、リクエスト信号の要求に応じて車両側装置１０に対して応答信号を送信するための携帯機側送信装置２２が設けられている。そして、携帯機側受信装置２１を通じて受信されるリクエスト信号に基づく応答信号の生成、及び生成した応答信号の携帯機側送信装置２２を通じての送信制御が、同じく携帯機２０に設けられている携帯機側制御装置２３を通じて統括的に行われる。
【００２０】
このように構成された車両の電子キーシステムにあって、車両側送信装置１３から運転席のドア１１及び助手席のドア１２のそれぞれの周辺に設定された通信可能エリアＳに対しリクエスト信号が発せられているとするときに、ユーザが所持する携帯機２０がこの通信可能エリアＳに進入したとする。このとき、次のような態様にて車両側装置１０及び携帯機２０の間で信号授受が実行される。すなわちこのシステムでは、上記車両側送信装置１３で変調されたリクエスト信号が上記携帯機側受信装置２１により受信されるとともに、この受信されたリクエスト信号が携帯機側受信装置２１で復調された後、復調されたリクエスト信号が上記携帯機側制御装置２３に伝達される。携帯機側制御装置２３では、こうしてリクエスト信号が伝達されると、内蔵するメモリに記憶されている識別コード（ＩＤコード）を含む応答信号を生成してこれを上記携帯機側送信装置２２に伝達する。これにより携帯機側送信装置２２では、この伝達された応答信号を変調した後、この変調した応答信号を車両側装置１０に送信する。このようにして応答信号が送信されることにより、上記車両側受信装置１４ではこれを受信するとともに、この受信した応答信号を復調した後、復調した応答信号を上記車両側制御装置１５に伝達する。車両側制御装置１５は、こうして伝達された応答信号に含まれるＩＤコードと同制御装置１５が内蔵するメモリに記憶されているＩＤコードとの照合を行う。ここで、車両側制御装置１５では以下のような判定を行う。
【００２１】
（ａ１）応答信号を受信することができ、且つ同応答信号に含まれるＩＤコードと同制御装置１５が内蔵するメモリに記憶されているＩＤコードとが互いに一致している旨が判断された場合。この場合には、携帯機２０が通信可能エリアＳ内に位置している旨を判定する。
【００２２】
（ａ２）応答信号を受信することができ、且つ同応答信号に含まれるＩＤコードと同制御装置１５が内蔵するメモリに記憶されているＩＤコードとが互いに一致していない旨が判断された場合。この場合には、携帯機２０が通信可能エリアＳ内に位置していない旨を判定する。
【００２３】
（ａ３）応答信号を受信することができなかった場合。この場合にも、携帯機２０が通信可能エリアＳ内に位置していない旨を判定する。
そして、車両側制御装置１５は、周期Ｔ１でリクエスト信号を送信するたびに携帯機２０が通信可能エリアＳ内に位置しているか否かを判定し、基本的には、同判定に基づいて車両ドアのロック／アンロックを以下のように実行する。
【００２４】
（ｂ１）携帯機２０が通信可能エリアＳ内に位置している旨を判定した場合。この場合には、ドアロック機構１６を通じて車両ドアのアンロックを実行する。
（ｂ２）携帯機２０が通信可能エリアＳ内に位置していない旨を連続して所定回数（例えば３回）判定した場合。すなわち、携帯機２０が通信可能エリアＳ内に位置していない状態が継続している旨を判定した場合。この場合にはドアロック機構１６を通じて車両ドアのロックを実行する。
【００２５】
ところで、本実施形態にかかる車両の電子キーシステムでは、携帯機側制御装置２３を通じて携帯機側送信装置２２から車両側装置１０に応答信号を送信した後に、同じく携帯機側送信装置２２から一定の電波強度となるようなパルスを送信する。また、本実施形態にかかる車両の電子キーシステムでは、上述のように、車両側受信装置１４により受信される上記応答信号及びこのパルスの電波強度を上記ＲＳＳＩ回路１４ａを通じて検出するとともに、これら応答信号及びパルスのそれぞれの電波強度の情報を上記車両側制御装置１５に伝達する。これにより車両側制御装置１５では、これら応答信号及びパルスのそれぞれの電波強度の情報に基づいてパルスの電波強度の変化を検出する。そして、車両側制御装置１５では、基本的には上記（ｂ１），（ｂ２）に示すように車両ドアのロック／アンロックを実行しつつ、検出されたパルスの電波強度の変化に基づいてさらに車両ドアのロック／アンロックの実行を制御する。
【００２６】
以下、まずはロックされている車両ドアをアンロックする制御について図２〜図４を参照して説明する。
ここで、図２（ａ）〜（ｃ）は、車両ドアがロックされているときに、車両側送信装置１３からリクエスト信号が送信される様子と、携帯機側送信装置２２から応答信号及びパルスが送信される様子と、車両側受信装置１４を通じて検出される応答信号及びパルスのそれぞれの電波強度の経時的な推移とをそれぞれ示したものである。
【００２７】
例えばいま、ユーザが車両から離れている状況、すなわち携帯機２０が上記通信可能エリアＳ外に位置していて車両ドアがロックされている状況で、ユーザが車両に乗車しようとして上記通信可能エリアＳに進入したとする。このとき、同図２（ａ），（ｂ）に示されるように、車両側送信装置１３から周期Ｔ１で送信されているリクエスト信号が携帯機２０により受信されると、携帯機側制御装置２３はこの受信したリクエスト信号に対して携帯機側送信装置２２から応答信号を送信する。ところで、本実施形態にかかる電子キーシステムでは、車両側送信装置１３から送信されるリクエスト信号に上記携帯機２０に対して応答信号の送信を要求するといった指令の他、現在の車両ドアの状態がロックされている状態であるか、あるいはアンロックされている状態であるかといった車両ドアのロック／アンロックの情報が含まれている。そして、携帯機側制御装置２３は、このリクエスト信号に含まれている車両ドアのロック／アンロックの情報に基づいて現在の車両ドアの状態がロックされている状態であると判断すると、応答信号を送信した後に、上記リクエスト信号の送信周期Ｔ１よりも大幅に短い周期ＴｐａにてパルスＡを送信する。ちなみに、この周期Ｔｐａで送信されるパルスＡは、前述のように一定の電波強度となるように、且つ上記応答信号の送信時間Ｓ２よりも短い送信時間Ｓｐａ内に所定回数（例えば６回）送信される。そして、図２（ｃ）に示されるように、車両側受信装置１４では、上記ＲＳＳＩ回路１４ａを通じて上記応答信号の電波強度を連続的に検出するとともに、パルスＡの各々の電波強度をそれぞれ検出して、それらの電波強度の情報を上記車両側制御装置１５に伝達する。これにより、車両側制御装置１５では、車両側受信装置１４から伝達される応答信号の電波強度の連続的なデータに基づいてその平均値Ｖｒａを算出するとともに、周期Ｔｐａで送信されるパルスＡのそれぞれの電波強度のデータに基づいてそれらの平均値Ｖａａ、及びそれらの最大値Ｖａｍａｘと最小値Ｖａｍｉｎとの差分値ΔＶａを算出する。そして、車両側制御装置１５では、これら応答信号の電波強度の平均値Ｖｒａ、パルスＡの電波強度の平均値Ｖａａ、及び差分値ΔＶａに基づいて、ユーザが通信可能エリアＳを横切る動作を行っているか否かを判定する。
【００２８】
図３は、これら応答信号の電波強度の平均値Ｖｒａ、パルスＡの電波強度の平均値Ｖａａ、及び差分値ΔＶａに基づいて上記車両側制御装置１５を通じて実行される上記ユーザが通信可能エリアＳを横切る動作を行っているか否かについての判定方法を示したものである。ここで、図３（ａ），（ｂ）は、携帯機２０の動きと、携帯機２０及び車両側受信装置１４の間の距離の経時的な推移とをそれぞれ示したものである。また、図３（ｃ）〜（ｅ）は、車両側送信装置１３によりリクエスト信号が送信される様子と、携帯機側送信装置２２により応答信号及びパルスＡが送信される様子と、車両側受信装置１４を通じて検出される応答信号及びパルスＡのそれぞれの電波強度の経時的な推移とをそれぞれ示したものである。
【００２９】
例えばいま、図３（ａ）に実線の矢印で示されるように、携帯機２０を所持したユーザが運転席のドア１１の周辺に設定された通信可能エリアＳに進入した後、急に進行方向を変えて同通信可能エリアＳ外へ移動したとする。すなわち、ユーザが通信可能エリアＳを横切る動作を行ったとする。このとき、図３（ｂ）に実線及び破線で示されるように、携帯機２０は、時刻ｔ１０で通信可能エリアＳに進入して上記車両側受信装置１４に接近するかたちで移動した後、時刻ｔ１２で進行方向を変えて車両側受信装置１４から遠ざかり、時刻ｔ１６で通信可能エリアＳ外へ移動する。そして、図３（ｃ），（ｄ）に示されるように、時刻ｔ１０から時刻ｔ１１までの間に車両側送信装置１３から送信されるリクエスト信号が携帯機２０により受信されると、続く時刻ｔ１１から時刻ｔ１３までの間にこのリクエスト信号に対して応答信号が、また、時刻ｔ１４から時刻ｔ１５までの間にパルスＡが携帯機側送信装置２２から送信される。このように携帯機側送信装置２２から応答信号が送信されることで、車両側制御装置１５は、時刻ｔ１３の時点で携帯機２０が通信可能エリアＳ内に位置している旨を判定する。ここで、図３（ｅ）に示されるように、こうした携帯機２０の車両側受信装置１４に近接する動き及び車両側受信装置１４から離間する動きに伴い、車両側受信装置１４により受信される応答信号の電波強度は時刻ｔ１１から時刻ｔ１３までの間において多少変動しつつ、時刻ｔ１１から時刻ｔ１２までの間において徐々に増加し、また、時刻ｔ１２から時刻ｔ１３までの間において徐々に低下する。一方、車両側受信装置１４で受信されるパルスＡの電波強度は、時刻ｔ１４から時刻ｔ１５までの間において応答信号の電波強度よりも低下する。したがって、上記パルスＡの電波強度の平均値Ｖａａは上記応答信号の電波強度の平均値Ｖｒａよりも小さくなる。また、各パルスＡの電波強度のうち、最大値となる時刻ｔ１４で検出されるパルスＡの電波強度の値Ｖａｍａｘと、最小値となる時刻ｔ１５で検出されるパルスＡの電波強度の値Ｖａｍｉｎとの差分を取った値ΔＶａは、携帯機２０の上記車両側受信装置１４から遠ざかる速度に応じて変化し、携帯機２０の遠ざかる速度が早いほどその値が大きくなる。そこで、本実施形態にかかる電子キーシステムでは、携帯機２０が通信可能エリアＳ内に位置している旨が判定された場合であっても、以下の（ｃ１），（ｃ２）の条件の論理積（ＡＮＤ）条件が満たされたときには、通信可能エリアＳに進入したユーザには車両ドアを開ける意思はなく、ユーザが通信可能エリアＳを横切ろうしている旨を判定して車両ドアをロックした状態に維持する。
【００３０】
（ｃ１）各パルスＡの電波強度の平均値Ｖａａが応答信号の電波強度の平均値Ｖｒａよりも小さいこと。車両側装置１０と携帯機２０との間の無線通信が成立した時の電波強度を基準として、これよりもパルスＡの電波強度が低下しているときには、携帯機２０が車両側受信装置１４から遠ざかろうとしている、換言すればユーザが運転席のドア１１から遠ざかろうとしていると判断することができるため。
【００３１】
（ｃ２）各パルスＡの電波強度のうち、最大値Ｖａｍａｘ及び最小値Ｖａｍｉｎの差分値ΔＶａが所定の閾値ΔＶｄａよりも大きいこと。携帯機２０が車両側受信装置１４から遠ざかる速度、換言すればユーザが運転席のドア１１から遠ざかる速度がある程度の速度に達していると判断することができるため。
【００３２】
一方、先の図３（ａ）に二点鎖線の矢印で示されるように、携帯機２０を所持したユーザが通信可能エリアＳ外へ移動する直前で急に進行方向を変更して運転席のドア１１を開けようとしたとする。すなわち、図３（ｂ）に二点鎖線で示されるように、携帯機２０が時刻ｔ２０で進行方向を変えて車両側受信装置１４に接近するかたちで移動したとする。このとき、車両側送信装置１３を通じて時刻ｔ１０から時刻ｔ１１までの間に送信されるリクエスト信号に続いて時刻ｔ２１から時刻ｔ２２までの間に送信されるリクエスト信号が携帯機２０により受信され、図３（ｃ）に二点鎖線で示されるように、このリクエスト信号に対して携帯機側送信装置２２から応答信号が送信される。すなわちこの場合には、上記車両側制御装置１５を通じて携帯機２０が通信可能エリアＳ内に位置している旨が判定される。そこで、本実施形態にかかる電子キーシステムでは、上記（ｃ１），（ｃ２）の条件の論理積（ＡＮＤ）条件が満たされた後に携帯機２０が通信可能エリアＳ内に位置している旨が判定されたとき、通信可能エリアＳを横切ろうとしていたユーザが車両ドアを開けようとしていると推定して車両ドアのアンロックを実行する。
【００３３】
図４は、こうしたユーザの通信可能エリアＳへの進入に際して上記車両側制御装置１５を通じて実行される車両ドアのアンロック制御についてその処理手順をフローチャートとして示したものであり、以下、この図４を参照して同制御の具体的手順を総括する。なお、この図４に示す処理は、実際には所定の演算周期をもって繰り返し実行される。また、以下で述べるアンロック実行フラグＦ１は初期状態としてオフに設定されている。
【００３４】
同図４に示されるように、この制御では、はじめに、上記車両ドアのロックを実行しているか否かが判断される（ステップＳ１０）。そして、車両ドアのロックを実行している旨が判断された場合には（ステップＳ１０：ＹＥＳ）、車両側送信装置１３を通じて周期Ｔ１でリクエスト信号が送信されるとともに（ステップＳ１１）、上記（ａ１）〜（ａ３）の判定に基づき携帯機２０が通信可能エリアＳ内に位置しているか否かが判定される（ステップＳ１２）。
【００３５】
そして、ステップＳ１２の判定処理において携帯機２０が通信可能エリアＳ内に位置している旨が判定された場合には（ステップＳ１２：ＹＥＳ）、アンロック実行フラグＦ１がオンとなっているか否かが判断される（ステップＳ１４）。このとき、例えばアンロック実行フラグＦ１が初期状態としてオフに設定されている場合には、ステップＳ１４の処理を通じてアンロック実行フラグＦ１がオンでない旨が判断され（ステップＳ１４：ＮＯ）、続くステップＳ１５の処理として応答信号の電波強度の平均値Ｖｒａが演算される。その後、応答信号に続いて携帯機２０から送信されるパルスＡを上記送信時間Ｓｐａ内に所定回数受信することができたか否かが判断され（ステップＳ１６）、パルスＡを送信時間Ｓｐａ内に所定回数受信することができた場合には（ステップＳ１６：ＹＥＳ）、これらパルスＡの電波強度の最大値Ｖａｍａｘ、最小値Ｖａｍｉｎ、及び平均値Ｖａａがそれぞれ演算される（ステップＳ１７）。そして、これら応答信号の電波強度の平均値Ｖｒａ、パルスＡの電波強度の最大値Ｖａｍａｘ、最小値Ｖａｍｉｎ、及びそれらの平均値Ｖａａに基づき、上記（ｃ１），（ｃ２）の条件の論理積（ＡＮＤ）条件が満たされているか否かが判定されることで、ユーザが通信可能エリアＳを横切ろうとしているか否かが判定される（ステップＳ１８）。
【００３６】
ここで、ステップＳ１８の判定処理を通じてユーザが通信可能エリアＳを横切ろうとしている旨が判定されなかった場合（ステップＳ１８：ＮＯ）、すなわちユーザが車両ドアを開けようとしていると推定される場合には、上記ドアロック機構１６により車両ドアのアンロックが実行され（ステップＳ１９）、車両側制御装置１５はこの一連の処理を一旦終了する。ちなみに、このように車両ドアのアンロックが実行された場合には、所定の演算周期を経て再び同アンロック制御が実行されたときに、ステップＳ１０を通じて車両ドアのロックを実行していない旨が判断される（ステップＳ１０：ＮＯ）。すなわちこの場合には、アンロック実行フラグＦ１がオフに設定され（ステップＳ２０）、車両側制御装置１５はこの一連の処理を即座に終了する。
【００３７】
一方、ステップＳ１８の処理を通じてユーザが通信可能エリアＳを横切ろうとしている旨が判断された場合には（ステップＳ１８：ＹＥＳ）、上記アンロック実行フラグＦ１がオンに設定され（ステップＳ２１）、車両側制御装置１５はこの一連の処理を一端終了する。すなわちこの場合には、車両ドアがロックされた状態に維持される。したがって、所定の演算周期を経て再び同アンロック制御が実行されたときには、ステップＳ１０の処理を通じて車両ドアのロックを実行している旨が判断され（ステップＳ１０：ＹＥＳ）、車両側送信装置１３を通じて再び周期Ｔ１でリクエスト信号が送信される（ステップＳ１１）。そしてこのとき、ユーザが通信可能エリアＳ外に移動するなどして携帯機２０が通信可能エリアＳ内に位置していない旨が判断された場合には（ステップＳ１２：ＮＯ）、上記アンロック実行フラグＦ１がオフに設定される（ステップＳ１３）。したがって、先の図３に実線の矢印で例示したように、ユーザが通信可能エリアＳに進入した後、急に進行方向を変えて同通信可能エリアＳ外へ移動するような行動をとった場合には、そのまま車両ドアがロックされたままの状態に維持されるようになる。一方、ステップＳ１２の処理を通じて、携帯機２０が通信可能エリアＳ内に位置している旨が判断された場合には（ステップＳ１２：ＹＥＳ）、続いてアンロック実行フラグＦ１がオンである旨が判断され（ステップＳ１４：ＹＥＳ）、車両ドアのアンロックが実行される（ステップＳ１９）。そしてその後、アンロック実行フラグＦ１がオフに設定される（ステップＳ２０）。したがって、同じく先の図３に二点鎖線の矢印で例示したように、ユーザが通信可能エリアＳ外へ移動する直前で急に進行方向を変更して運転席のドア１１を開けようとした場合には、車両ドアのアンロックが実行されるようになる。
【００３８】
なお、ステップＳ１６の処理を通じて、例えばノイズ等の影響によりパルスＡを所定回数受信することのできないまま上記送信時間Ｓｐａが経過した場合にも（ステップＳ１６：ＮＯ）、同様に、アンロック実行フラグＦ１がオンに設定される（ステップＳ２１）。すなわちこの場合、所定の演算周期を経て再び同アンロック制御が実行されたときには、車両ドアがロックされた状態に維持されるか、あるいは車両ドアのアンロックが実行されることとなる。
【００３９】
このように、このアンロック制御によれば、ユーザが単に運転席のドア１１の周辺に設定された通信可能エリアＳを横切る動作を行った際には、車両ドアがロックされたままの状態に維持されるため、ユーザの意図しない車両ドアのアンロックの実行を抑制することができるようになる。なお、ユーザが助手席のドア１２の周辺に設定された通信可能エリアＳを横切る動作を行った際にも、同様に、ユーザの意図しない車両ドアのアンロックの実行を抑制することができるようになることは言うまでもない。
【００４０】
続いて、アンロックされている車両ドアをロックする制御について図５〜図７を参照して説明する。
ここで図５（ａ）〜（ｃ）は、車両ドアがアンロックされているときに、車両側送信装置１３からリクエスト信号が送信される様子と、携帯機側送信装置２２から応答信号及びパルスが送信される様子と、車両側受信装置１４を通じて検出される応答信号及びパルスのそれぞれの電波強度の経時的な推移とをそれぞれ示したものである。
【００４１】
例えばいま、ユーザが車両を停車させた後に降車して車両ドアを閉めた状況、すなわち携帯機２０が上記通信可能エリアＳ内に位置していて車両ドアがアンロックされている状況で、ユーザが車両から離れようとしたとする。このとき、同図５（ａ），（ｂ）に示されるように、車両側送信装置１３から周期Ｔ１で送信されているリクエスト信号が携帯機２０により受信されると、携帯機側制御装置２３は、この受信したリクエスト信号に対して携帯機側送信装置２２から応答信号を送信する。また、この携帯機側制御装置２３は、リクエスト信号に含まれている車両ドアのロック／アンロックの情報に基づいて現在の車両ドアの状態がアンロックされている状態であると判断すると、応答信号を送信した後に、上記パルスＡの送信周期Ｔｐａよりも長い周期ＴｐｂにてパルスＢを送信する。ちなみに、このパルスＢも、上記パルスＡと同様に一定の電波強度となるように送信されるとともに、リクエスト信号及び応答信号の授受が完了してから次のリクエスト信号及び応答信号の授受が開始されるまでの期間を送信時間Ｓｐｂとして、同送信時間Ｓｐｂ内に所定回数（例えば６回）送信される。そして、図５（ｃ）に示されるように、車両側受信装置１４では、上記ＲＳＳＩ回路１４ａを通じて上記応答信号の電波強度を連続的に検出するとともに、パルスＢの各々の電波強度をそれぞれ検出して、それらの電波強度の情報を上記車両側制御装置１５に伝達する。これにより、車両側制御装置１５では、車両側受信装置１４から伝達される応答信号の電波強度の連続的なデータに基づいてその平均値Ｖｒａを算出するとともに、周期Ｔｐｂで送信されるパルスＢのそれぞれの電波強度のデータに基づいてそれらの平均値Ｖｂａ、及びそれらの最大値Ｖｂｍａｘと最小値Ｖｂｍｉｎとの差分値ΔＶｂを算出する。そして、車両側制御装置１５では、これら応答信号の電波強度の平均値Ｖｒａ、パルスＢの電波強度の平均値Ｖｂａ、及び差分値ΔＶｂに基づいて、ユーザが運転席のドア１１から、例えば駆け足程度の速い速度で離間する動作を行っているか否かを判定する。
【００４２】
図６は、これら応答信号の電波強度の平均値Ｖｒａ、パルスＢの電波強度の平均値Ｖｂａ、及び差分値ΔＶｂに基づいて上記車両側制御装置１５を通じて実行される上記ユーザが運転席のドア１１から速い速度で離間する動作を行っているか否かについての判定方法を示したものである。ここで、図６（ａ），（ｂ）は、携帯機２０の動きと、携帯機２０と車両側受信装置１４との間の距離の経時的な推移とをそれぞれ示したものである。また、図６（ｃ）〜（ｅ）は、車両側送信装置１３を通じてリクエスト信号が送信される様子と、携帯機側送信装置２２を通じて応答信号及びパルスＢが送信される様子と、車両側受信装置１４を通じて検出される応答信号及びパルスＢのそれぞれの電波強度の経時的な推移とをそれぞれ示したものである。
【００４３】
例えばいま、図６（ａ）に実線の矢印で示されるように、携帯機２０を所持したユーザが運転席のドア１１を閉めた後、車両から速い速度で離れて通信可能エリアＳ外へ移動したとする。このとき、図６（ｂ）に実線及び破線で示されるように、携帯機２０は、時刻ｔ３０で車両側受信装置１４に最も接近している状態から徐々に離間して、時刻ｔ３４で通信可能エリアＳ外へと移動する。そして、図６（ｃ），（ｄ）に示されるように、時刻ｔ３０から時刻ｔ３１の間に車両側送信装置１３から送信されるリクエスト信号が携帯機２０により受信されると、続く時刻ｔ３１から時刻ｔ３２までの間にこのリクエスト信号に対して応答信号が、また、時刻ｔ３３から時刻ｔ３５までの間にパルスＢが携帯機側送信装置２２から送信される。また、時刻ｔ３０から時刻ｔ３１までの間に送信されるリクエスト信号に続いて時刻ｔ３６から時刻ｔ３７までの間に送信されるリクエスト信号は携帯機２０により受信されないことから、上記車両側制御装置１５は、その後、携帯機２０が通信可能エリアＳ内に位置していない旨を判定する。ここで、図６（ｅ）に示されるように、こうした携帯機２０の車両側受信装置１４から離間する動きに伴い、車両側受信装置１４により受信される応答信号の電波強度は時刻ｔ３１から時刻ｔ３２までの間において多少変動しつつ、低下する。一方、車両側受信装置１４で受信されるパルスＢの電波強度は、時刻ｔ３３から時刻ｔ３５までの間において応答信号の電波強度よりも大幅に低下する。したがって、上記パルスＢの電波強度の平均値Ｖｂａは上記応答信号の電波強度の平均値Ｖｒａよりも大幅に小さくなる。また、各パルスＢの電波強度のうち、最大値となる時刻ｔ３３で検出されるパルスＢの電波強度の値Ｖｂｍａｘと、最小値となる時刻ｔ３５で検出されるパルスＢの電波強度の値Ｖｂｍｉｎとの差分をとった値ΔＶｂは、携帯機２０の上記車両側受信装置１４から遠ざかる速度に応じて変化し、携帯機２０の遠ざかる速度が早いほどその値が大きくなる。そこで、本実施形態にかかる電子キーシステムでは、携帯機２０が通信可能エリアＳ内に位置していない旨が連続して所定回数判定される前であっても、以下の（ｄ１），（ｄ２）の条件の論理積（ＡＮＤ）条件が満たされた後に携帯機２０が通信可能エリアＳ内に位置していないことが検出されたとき、ユーザが運転席のドア１１から速い速度で離間しようとしていると判定して車両ドアのロックを実行する。
【００４４】
（ｄ１）応答信号の電波強度の平均値Ｖｒａより所定値αだけ小さい値よりもパルスＢの電波強度の平均値Ｖｂａが小さいこと。車両側装置１０と携帯機２０との間の無線通信が成立した時の電波強度を基準として、これよりもパルスＢの電波強度が大幅に小さいときには、携帯機２０が車両側受信装置１４から遅い速度で遠ざかろうしているのではなく速い速度で遠ざかろうとしていると判断することができるため。換言すれば、ユーザが運転席のドア１１から、例えば歩き程度の遅い速度で遠ざかろうとしているのではなく、駆け足程度の速い速度で遠ざかろうとしていると判断することができるため。
【００４５】
（ｄ２）パルスＢの電波強度の最大値Ｖｂｍａｘ及び最小値Ｖｂｍｉｎの差分値ΔＶｂが所定の閾値ΔＶｄｂよりも大きいこと。携帯機２０が車両側受信装置１４から遠ざかる速度、換言すればユーザが運転席のドア１１から遠ざかる速度がある程度の速度に達していると判断することができるため。
【００４６】
図７は、こうしたユーザの通信可能エリアＳ外への移動に際して上記車両側制御装置１５を通じて実行される車両ドアのロック制御についてその処理手順をフローチャートとして示したものであり、以下、この図７を参照して同制御の具体的手順を総括する。なお、この図７に示す処理は、実際には所定の演算周期をもって繰り返し実行される。また、以下で述べるロック実行フラグＦ２は初期状態としてオフに設定されている。さらに、上記車両側制御装置１５には通信ＮＧカウンタＣの値をカウントするカウンタ（図示略）が設けられるとともに、通信ＮＧカウンタＣはその初期値として「０」に設定されている。
【００４７】
同図７に示されるように、この制御では、はじめに、上記車両ドアのアンロックを実行しているか否かが判断される（ステップＳ３０）。そして、車両ドアのアンロックを実行している旨が判断された場合には（ステップＳ３０：ＹＥＳ）、車両側送信装置１３を通じて周期Ｔ１でリクエスト信号が送信されるとともに（ステップＳ３１）、上記（ａ１）〜（ａ３）の判定に基づき携帯機２０が通信可能エリアＳ内に位置しているか否かが判定される（ステップＳ３２）。
【００４８】
そして、ステップＳ３２の処理において携帯機２０が通信可能エリアＳ内に位置している旨が判定された場合には（ステップＳ３２：ＹＥＳ）、応答信号の電波強度の平均値Ｖｒａが演算される（ステップＳ３３）。その後、応答信号に続いて携帯機２０から送信されるパルスＢを送信時間Ｓｐｂ内に所定回数受信することができたか否かが判断され（ステップＳ３４）、パルスＢを所定回数受信することができた場合には（ステップＳ３４：ＹＥＳ）、これらパルスＢの電波強度の最大値Ｖｂｍａｘ、最小値Ｖｂｍｉｎ、及び平均値Ｖｂａがそれぞれ演算される（ステップＳ３５）。そして、これら応答信号の電波強度の平均値Ｖｒａ、パルスＢの電波強度の最大値Ｖｂｍａｘ、最小値Ｖｂｍｉｎ、及びそれらの平均値Ｖｂａに基づき、上記（ｄ１），（ｄ２）の条件の論理積（ＡＮＤ）条件が満たされているか否かが判定されることで、ユーザが運転席のドア１１から速い速度で離間しようとしているか否かが判定される（ステップＳ３６）。
【００４９】
ここで、ステップＳ３６の判定処理を通じてユーザが運転席のドア１１から速い速度で離間しようとしている旨が判定されなかった場合（ステップＳ３６：ＮＯ）、すなわちユーザが運転席のドア１１から遅い速度で離間していると推定される場合には、通信ＮＧカウンタＣの値がリセットされ（ステップＳ３８）、車両側制御装置１５はこの一連の処理を一旦終了する。そしてこの場合には、所定の演算周期を経て再び同ロック制御が実行されたときに、ステップＳ３０の処理を通じて車両ドアがアンロック状態である旨が判断され（ステップＳ３０：ＹＥＳ）、再び周期Ｔ１でリクエスト信号が送信される（ステップＳ３１）。このとき、ユーザが通信可能エリアＳ外に移動するなどして携帯機２０が通信可能エリアＳ内に位置していない旨が判断された場合には（ステップＳ３２：ＮＯ）、続くステップＳ３９の処理を通じてロック実行フラグＦ２がオンでない旨が判断され（ステップＳ３９：ＮＯ）、通信ＮＧカウンタＣの値がインクリメントされる（ステップＳ４１）。そして、この通信ＮＧカウンタＣの値が所定値Ｃｎ（例えば３）以上であるか否かが判断され（ステップＳ４２）、通信ＮＧカウンタＣの値が所定値Ｃｎより小さい旨が判断される場合には（ステップＳ４２：ＮＯ）、再びリクエスト信号が送信されて（ステップＳ３１）、携帯機２０が通信可能エリアＳ内に進入しているか否かが判定される（ステップＳ３２）。その後、通信ＮＧカウンタＣの値が所定値Ｃｎに達した時点で（ステップＳ４２：ＹＥＳ）、車両ドアのロックが実行され（ステップＳ４０）、通信ＮＧカウンタＣの値がリセットされる（ステップＳ３８）。
【００５０】
一方、ステップＳ３６の判定処理を通じてユーザが運転席のドア１１から速い速度で離間しようとしている旨が判定された場合には（ステップＳ３６：ＹＥＳ）、ロック実行フラグＦ２がオンに設定された後（ステップＳ３７）、通信ＮＧカウンタＣの値がリセットされ（ステップＳ３８）、車両側制御装置１５はこの一連の処理を一旦終了する。そしてこの場合には、所定の演算周期を経て再び同ロック制御が実行されたときに、ステップＳ３０の処理を通じて車両ドアがアンロック状態である旨が判断され（ステップＳ３０：ＹＥＳ）、再び周期Ｔ１でリクエスト信号が送信される（ステップＳ３１）。このとき、ユーザが通信可能エリアＳ外に移動するなどして携帯機２０が通信可能エリアＳ内に位置していない旨が判断された場合には（ステップＳ３２：ＮＯ）、続くステップＳ３９の処理を通じてロック実行フラグＦ２がオンである旨が判断され（ステップＳ３９：ＹＥＳ）、即座に車両ドアのロックが実行される（ステップＳ３９）。そしてその後、通信ＮＧカウンタＣの値がリセットされる（ステップＳ３８）。ちなみに、このように車両ドアのロックが一旦実行された場合には、所定の演算周期を経て再び同ロック制御が実行されたときに、ステップＳ３０の処理を通じて車両ドアがアンロック状態でない旨が判断され（ステップＳ３０：ＮＯ）、ロック実行フラグＦ２の値がオフに設定される（ステップＳ４３）。
【００５１】
なお、ステップＳ３４の処理を通じて、例えばノイズ等の影響によりパルスＢを所定回数受信することのできないまま上記送信時間Ｓｐｂが経過した場合には（ステップＳ３４：ＮＯ）、通信ＮＧカウンタＣの値がリセットされ（ステップＳ３８）、車両側制御装置１５はこの一連の処理を一旦終了する。
【００５２】
このように、このロック制御によれば、ユーザが運転席のドア１１から速い速度で離間しようとしているときには、ユーザが運転席のドア１１から遅い速度で離間しているときよりも早い時期に車両ドアのロックが実行されるようになる。このため、車両ドアのロックされる時期の遅れによりユーザが違和感を覚えるといった懸念を払拭することができるようになる。なお、ユーザが助手席のドア１２から速い速度で離間しようとしているときにも、同様に、車両ドアのロックされる時期の遅れによりユーザが違和感を覚えるといった懸念を払拭することができることは言うまでもない。
【００５３】
以上説明したように、本実施形態にかかる電子キーシステムによれば、以下のような効果が得られるようになる。
（１）車両ドアがロックされているとき、応答信号を送信した後に一定の電波強度となるようなパルスＡを携帯機２０から車両側装置１０に送信するとともに、応答信号及びパルスＡの電波強度をＲＳＳＩ回路を通じて検出するようにした。そして、携帯機２０が通信可能エリアＳ内に位置していない旨が判定されて車両ドアのロックを実行している期間に携帯機２０が通信可能エリアＳ内に位置している旨が判定された後、上記（ｃ１），（ｃ２）の条件の論理積（ＡＮＤ）条件が満たされ、且つその後、携帯機２０が通信可能エリアＳ内に位置していない旨が判定されたとき、車両ドアをロックしたままの状態に維持するようにした。これにより、ユーザが通信可能エリアＳに進入した後、急に進行方向を変えて同通信可能エリアＳ外へ移動したような場合、すなわち通信可能エリアＳを横切る動作を行った際にはそのまま車両ドアがロックされたままの状態に維持される。したがって、ユーザの意図しない車両ドアのアンロックの実行を抑制することができるようになる。
【００５４】
（２）携帯機２０が通信可能エリアＳ内に位置していない旨が判定されて車両ドアのロックを実行している期間に携帯機２０が通信可能エリアＳ内に位置している旨が判定された後、上記（ｃ１），（ｃ２）の条件の論理積（ＡＮＤ）条件が満たされ、且つその後、携帯機２０が通信可能エリアＳ内に位置している旨が判定されたとき、車両ドアのアンロックを実行するようにした。このため、ユーザが通信可能エリアＳ外へ移動する直前で急に進行方向を変更して運転席のドア１１、あるいは助手席のドア１２を開けようとした場合には、車両ドアのアンロックが実行されるため、ユーザの意図しない車両ドアのロックの実行を抑制することができるようになる。
【００５５】
（３）車両ドアがアンロックされているとき、応答信号を送信した後に一定の電波強度となるようなパルスＢを携帯機２０から車両側装置１０に送信するとともに、応答信号及びパルスＢの電波強度をＲＳＳＩ回路１４ａを通じて検出するようにした。そして、携帯機２０が通信可能エリアＳ内に位置している旨が判定されて車両ドアのアンロックを実行している期間に上記（ｄ１），（ｄ２）の条件の論理積（ＡＮＤ）条件が満たされている旨が判定された後、携帯機２０が通信可能エリアＳ内に位置していない旨が判定されたときには、即座に車両ドアのロックを実行するようにした。これにより、ユーザが運転席のドア１１、あるいは助手席のドア１２から速い速度で離間しようとしているときには、早い時期に車両ドアのロックが実行されるようになるため、車両ドアのロックされる時期の遅れによりユーザが違和感を覚えるといった懸念を払拭することができるようになる。
【００５６】
（４）応答信号を送信した後に、一定の電波強度となるようなパルスＡ，Ｂを携帯機２０から送信するようにした。このため、パルスＡ，Ｂに代えて、例えば一定の電波強度となるような連続した無線電波を送信する場合と比較して携帯機２０の電力の消費を抑えることができるため、携帯機２０の電池の寿命を維持することができるようになる。
【００５７】
なお、上記実施形態は、これを適宜変更した以下の形態にて実施することもできる。
・上記実施形態では、通信可能エリアＳに進入したユーザが通信可能エリアＳを横切ろうとしているか否かを判定するための条件として、（ｃ１）の条件、すなわちパルスＡの電波強度の平均値Ｖａａが応答信号の電波強度の平均値Ｖｒａよりも小さいことを条件とするようにした。これに代えて、例えばパルスＡの電波強度の平均値Ｖａａが予め設定された閾値よりも小さいことを条件とするようにしてもよい。
【００５８】
・上記実施形態では、通信可能エリアＳに進入したユーザが通信可能エリアＳを横切ろうとしているか否かの判定を、上記（ｃ１），（ｃ２）の条件の論理積（ＡＮＤ）条件が満たされたときに行うようにしたが、例えば（ｃ１）の条件のみが満たされたときに行うようにしてもよい。また、これら（ｃ１），（ｃ２）の条件に代えて、例えば上記パルスＡの電波強度の最小値Ｖａｍｉｎが所定の閾値よりも小さいことが検出されたときに、通信可能エリアＳに進入したユーザが通信可能エリアＳを横切ろうとしている旨を判定するようにしてもよい。要は、応答信号の電波強度に対してパルスＡの電波強度が低下している傾向がある旨が検出されたときに、通信可能エリアＳに進入したユーザが通信可能エリアＳを横切ろうとしている旨を判定するものであればよい。
【００５９】
・上記（ｃ１），（ｃ２）の条件の論理積（ＡＮＤ）条件に加え、例えば応答信号の電波強度の変化に基づいて通信可能エリアＳに進入したユーザが通信可能エリアＳを横切ろうとしているか否かを判定するようにしてもよい。これにより、通信可能エリアＳに進入したユーザが通信可能エリアＳを横切ろうとしているか否かを精度よく判定することができるようになり、ひいてはアンロック制御の精度をより高めることができるようになる。
【００６０】
・上記実施形態では、ユーザが運転席のドア１１、あるいは助手席のドア１２から速い速度で離間しようとしている旨の判定を、上記（ｄ１），（ｄ２）の条件の論理積（ＡＮＤ）条件が満たされたときに行うようにしたが、例えば（ｄ１）の条件のみが満たされたときに行うようにしてもよい。また、これら（ｄ１），（ｄ２）の条件に代えて、例えば上記パルスＢの電波強度の最小値Ｖｂｍｉｎが所定の閾値よりも小さいことが検出されたときに、ユーザが運転席のドア１１、あるいは助手席のドア１２から速い速度で離間しようとしている旨を判定するようにしてもよい。要は、応答信号の電波強度に対してパルスＢの電波強度が低下している傾向にある旨が検出されたときに、ユーザが運転席のドア１１、あるいは助手席のドア１２から速い速度で離間しようとしている旨を判定するものであればよい。
【００６１】
・上記（ｄ１），（ｄ２）の条件の論理積（ＡＮＤ）条件に加え、例えば応答信号の電波強度の変化に基づいてユーザが運転席のドア１１、あるいは助手席のドア１２から速い速度で離間しようとしているか否かを判定するようにしてもよい。これにより、ユーザが運転席のドア１１、あるいは助手席のドア１２から速い速度で離間しようとしているか否かを精度よく判定することができるようになり、ひいてはロック制御の精度をより高めることができるようになる。
【００６２】
・上記実施形態では、パルスＡの電波強度の変化に基づいて車両ドアのアンロック制御を、またパルスＢの電波強度の変化に基づいて車両ドアのロック制御を実行するようにした。これに代えて、例えばアンロック制御のみを行う電子キーシステムにあっては、パルスＡの電波強度の変化に基づいて車両ドアのアンロック制御のみを実行するようにしてもよい。また、例えばロック制御のみを行う電子キーシステムにあっては、パルスＢの電波強度の変化に基づいて車両ドアのロック制御のみを実行するようにしてもよい。
【００６３】
・上記実施形態では、車両側受信装置１４を運転席と助手席との間に設けるようにしたが、車両側受信装置１４は車両の任意の位置に適宜設けることが可能である。ただし、車両側受信装置１４の配置される位置によっては、ユーザが上記通信可能エリアＳを横切る動作を行った際に携帯機２０が同車両側受信装置１４に接近するかたちで移動するようになる場合もありうる。したがってこの場合には、上記（ｃ１）の条件に代えて、例えばパルスＡの電波強度の平均値Ｖａａが応答信号の電波強度の平均値Ｖｒａよりも大きいことを条件とすることが望ましい。
【００６４】
・上記実施形態では、車両側送信装置１３を運転席のドア１１及び助手席のドア１２にそれぞれ設けるようにしたが、例えば車両のバックドアや後部座席のドアに適宜設けるようにしてもよい。
【００６５】
・上記実施形態では、応答信号を送信した後に一定の電波強度となるようなパルスＡ及びパルスＢを送信するようにしたが、例えば一定の電波強度となるような連続した無線電波を送信するようにしてもよい。
【００６６】
・上記実施形態では、パルスＡを周期Ｔｐａにて、また、パルスＢを周期Ｔｐｂにて送信するようにしたが、想定されるユーザの動作に併せて、例えばパルスＡ及びパルスＢを共に周期Ｔｐａにて送信するなど、パルスＡ及びパルスＢの送信周期は適宜変更することが可能である。また、パルスＡ及びパルスＢを送信する回数についても、想定されるユーザの動作に併せて適宜変更することが可能である。
【００６７】
・上記実施形態では、本発明にかかる電子キーシステムを、車両の電子キーシステムに適用するようにした。これに代えて、例えば、ユーザが携帯機（電子キー）を所持した状態で玄関ドアに接近したときに玄関ドアのアンロックを自動的に実行するとともに、玄関ドアから離れたときに玄関ドアのロックを自動的に実行する、いわゆる住宅の電子キーシステムに本発明にかかる電子キーシステムを適用することも可能である。要は、所定の無線信号を送信する携帯機と、同携帯機に無線信号の送信を要求するリクエスト信号を周期的に送信するとともに携帯機から送信される無線信号を受信する通信装置との間で、無線信号及びリクエスト信号の送受信を通じてドアのロック／アンロックを実行する電子キーシステムであればよい。
（付記）
次に、上記実施形態及びその変形例から把握できる技術的思想について追記する。
【００６８】
（イ）請求項１又は２に記載の電子キーシステムにおいて、当該電子キーシステムが、前記無線信号及び前記リクエスト信号の送受信を通じて車両ドアのロック／アンロックを実行する車両の電子キーシステムである電子キーシステム。具体的には、請求項１又は２に記載の電子キーシステムを、車両の電子キーシステムに適用することができる。
【図面の簡単な説明】
【００６９】
【図１】本発明にかかる車両の電子キーシステムの一実施形態についてそのシステム構成を示すブロック図。
【図２】（ａ）〜（ｃ）は、車両ドアがロックされているときに車両側送信装置から送信される信号、携帯機側送信装置から送信される信号、及び車両側受信装置で受信される電波の強度の推移をそれぞれ示すタイムチャート。
【図３】（ａ）〜（ｅ）は、ユーザが通信可能エリアを横切る動作を行ったときの携帯機の動きを模式的に示す平面図、並びに携帯機と車両側受信装置との間の距離、車両側送信装置から送信される信号、携帯機側送信装置から送信される信号、及び車両側受信装置で受信される電波の強度の推移をそれぞれ示すタイムチャート。
【図４】同実施形態の電子キーシステムによる車両ドアのアンロック制御の処理手順を示すフローチャート。
【図５】（ａ）〜（ｃ）は、車両ドアがアンロックされているときに車両側送信装置から送信される信号、携帯機側送信装置から送信される信号、及び車両側受信装置で受信される電波の強度の推移をそれぞれ示すタイムチャート。
【図６】（ａ）〜（ｅ）は、ユーザが運転席のドアから速い速度で離間したときの携帯機の動きを模式的に示す平面図、並びに携帯機と車両側受信装置との間の距離、車両側送信装置から送信される信号、携帯機側送信装置から送信される信号、及び車両側受信装置で受信される電波の強度の推移をそれぞれ示すタイムチャート。
【図７】同実施形態の電子キーシステムによる車両ドアのロック制御の処理手順を示すフローチャート。
【図８】従来一般に採用されている電子キーシステムの概要を模式的に示す平面図。
【符号の説明】
【００７０】
Ｓ…通信可能エリア、Ａ，Ｂ…パルス、１０…車両側装置、１１…運転席のドア、１２…助手席のドア、１３…車両側送信装置、１４…車両側受信装置、１４ａ…ＲＳＳＩ回路、１５…車両側制御装置、１６…ドアロック機構、２０…携帯機、２１…携帯機側受信装置、２２…携帯機側送信装置、２３…携帯機側制御装置。
【図１】
2009264056.tif 000003
【図２】
2009264056.tif 000004
【図３】
2009264056.tif 000005
【図４】
2009264056.tif 000006
【図５】
2009264056.tif 000007
【図６】
2009264056.tif 000008
【図７】
2009264056.tif 000009
【図８】
2009264056.tif 000010